【手続補正書】
【提出日】令和1年9月26日(2019.9.26)
【手続補正１】
【補正対象書類名】明細書
【補正対象項目名】００２３
【補正方法】変更
【補正の内容】
【００２３】
【図１】本発明の第１の実施の形態によるコネクタを備える蓄電装置を示す斜視図である。
【図２】図１の蓄電装置の電池ユニットを示す斜視図である。電池ユニットには、コネクタが取り付けられている。コネクタに接続されたバスバーの輪郭を破線で描画している。電池ユニットのケースの蓋は描画していない。
【図３】図２の電池ユニット及びコネクタを示す上面図である。ケースの蓋は描画していない。
【図４】図２のコネクタを示す斜視図である。コネクタに接続されたバスバーの輪郭を破線で描画している。
【図５】図４のコネクタのコネクタ本体とカバーとを示す斜視図である。コネクタ本体には、電池ユニットの端子が接続されている。
【図６】図４のコネクタを示す分解斜視図である。
【図７】図５のコネクタ本体を示す斜視図である。コネクタ本体に接続されたバスバーの輪郭を破線で描画している。
【図８】図７のコネクタ本体を示す別の斜視図である。
【図９】図７のコネクタ本体を示す正面図である。コネクタ本体に接続されたバスバーの輪郭を破線で描画している。
【図１０】図７のコネクタ本体を示す側面図である。
【図１１】図７のコネクタ本体を示す別の側面図である。コネクタのカバーの輪郭を破線で描画している。
【図１２】図７のコネクタ本体を示す上面図である。
【図１３】図７のコネクタ本体を示す底面図である。
【図１４】図７のコネクタ本体を示す背面図である。カバーの輪郭を破線で描画している。
【図１５】図９のコネクタ本体をＸＶ−ＸＶ線に沿って示す断面図である。
【図１６】図９のコネクタ本体をＸＶＩ−ＸＶＩ線に沿って示す断面図である。
【図１７】図９のコネクタ本体をＸＶＩＩ−ＸＶＩＩ線に沿って示す断面図である。コネクタ本体にバスバーが接続されている。第１受容部及び第２受容部の一部（破線で囲んだ部分）を夫々拡大して描画している。拡大図において、第１接続空間及び第２接続空間の輪郭を１点鎖線で描画している。
【図１８】図１０のコネクタ本体をＸＶＩＩＩ−ＸＶＩＩＩ線に沿って示す断面図である。
【図１９】図７のコネクタ本体のハウジングの第１部材を示す斜視図である。
【図２０】図７のコネクタ本体のハウジングの第２部材を示す斜視図である。
【図２１】図７のコネクタ本体の２つのコンタクトを示す斜視図である。
【図２２】図２１の２つのコンタクトのうちの第１コンタクトを示す斜視図である。
【図２３】図２２の第１コンタクトを示す上面図である。コンタクトの一部（破線で囲んだ部分）を拡大して描画している。
【図２４】図２１の２つのコンタクトを示す側面図である。
【図２５】図７のコネクタ本体を２つのバスバーと共に示す斜視図である。バスバーの夫々は、コネクタ本体への接続開始状態にある。
【図２６】図１の蓄電装置のうちの２つの電池ユニットを示す正面図である。電池ユニットには、コネクタ本体が夫々取り付けられている。２つのコネクタ本体は、バスバーを介して互いに接続されている。
【図２７】図２６の電池ユニット、コネクタ本体及びバスバーを示す側面図である。
【図２８】図２６の電池ユニット、コネクタ本体及びバスバーを示す別の側面図である。
【図２９】図２６の電池ユニット、コネクタ本体及びバスバーを示す更に別の側面図である。
【図３０】図７のコネクタ本体をバスバー及びケーブルと共に示す斜視図である。バスバー及びケーブルの夫々は、コネクタ本体に接続されている。
【図３１】図３０のコネクタ本体、バスバー及びケーブルを示す斜視図である。コネクタ本体には、カバーが取り付けられている。
【図３２】図７のコネクタ本体の変形例を示す斜視図である。
【図３３】図３２のコネクタ本体を示す別の斜視図である。
【図３４】図３２のコネクタ本体を示す側面図である。
【図３５】図３２のコネクタ本体を示す別の側面図である。
【図３６】図３２のコネクタ本体を示す上面図である。
【図３７】図３２のコネクタ本体を示す底面図である。
【図３８】図３６のコネクタ本体をＸＸＸＶＩＩＩ−ＸＸＸＶＩＩＩ線に沿って示す断面図である。
【図３９】図３６のコネクタ本体をＸＸＸＩＸ−ＸＸＸＩＸ線に沿って示す断面図である。
【図４０】図２の電池ユニットの変形例を示す斜視図である。ケースの蓋は描画していない。
【図４１】図４０の電池ユニットを示す斜視図である。電池ユニットには、図３２のコネクタ本体が取り付けられている。コネクタ本体の近傍（破線で囲んだ部分）を拡大して描画している。ケースの蓋は描画していない。
【図４２】図４１の電池ユニット及びコネクタ本体を示す上面図である。ケースの蓋は描画していない。
【図４３】図４１のコネクタ本体を示す斜視図である。コネクタ本体には、電池ユニットの端子が接続されている。
【図４４】本発明の第２の実施の形態によるコネクタのコネクタ本体を示す斜視図である。コネクタ本体に接続されたバスバーの輪郭を破線で描画している。
【図４５】図４４のコネクタ本体を示す別の斜視図である。
【図４６】図４４のコネクタ本体を示す正面図である。
【図４７】図４４のコネクタ本体を示す上面図である。
【図４８】図４４のコネクタ本体を示す底面図である。
【図４９】図４４のコネクタ本体を示す背面図である。
【図５０】図４４のコネクタ本体の２つのコンタクトを示す斜視図である。
【図５１】図５０の２つのコンタクトを示す正面図である。
【図５２】図５０の２つのコンタクトのうちの第１コンタクトを示す上面図である。コンタクトの一部（破線で囲んだ部分）を拡大して描画している。
【図５３】図４４のコネクタ本体を２つのバスバーと共に示す斜視図である。バスバーの夫々は、コネクタ本体への接続開始状態にある。
【図５４】図５３のコネクタ本体及びバスバーを示す正面図である。バスバーの夫々は、コネクタ本体に接続されている。第１挿入口及び第２挿入口の近傍（破線で囲んだ部分）を夫々拡大して描画している。拡大図において、第１接続空間及び第２接続空間の輪郭を１点鎖線で描画している。
【図５５】図５４のコネクタ本体及びバスバーを示す斜視図である。コネクタ本体には、カバーが取り付けられている。
【図５６】図４４のコネクタ本体を２つのケーブルと共に示す斜視図である。ケーブルの夫々は、コネクタ本体に接続されている。
【図５７】図５６のコネクタ本体及びケーブルを示す斜視図である。コネクタ本体には、カバーが取り付けられている。
【図５８】特許文献１の蓄電装置を部分的に示す斜視図である。
【手続補正２】
【補正対象書類名】明細書
【補正対象項目名】００９４
【補正方法】変更
【補正の内容】
【００９４】
図４１及び図４３を参照すると、端子８３４Ａ，８３６Ａは、通過孔３９２Ａを夫々通過して、コネクタ本体１２Ａの保持部３５０Ａに夫々固定されている。詳しくは、図３８及び図３９を併せて参照すると、端子８３４Ａ，８３６Ａの夫々は、取付ネジ８９０及びナット７２によって、コンタクト６０Ａの対応する接続部６７０に固定されており、これによりコネクタ本体１２Ａは、電池モジュール８３０Ａと電気的に接続されている。
【手続補正３】
【補正対象書類名】明細書
【補正対象項目名】０１１３
【補正方法】変更
【補正の内容】
【０１１３】
図５０及び図５１を参照すると、第２コンタクト６４Ｂは、第１コンタクト６２Ｂと同一の形状及びサイズを有している。但し、第２コンタクト６４Ｂは、第１コンタクト６２ＢをＸ軸を中心に１８０°回転させた状態に配置されている。この配置により、第２コンタクト６４Ｂの被保持部６２０は、所定方向（Ｚ方向）において、第１コンタクト６２Ｂの被保持部６２０と並んでいる。また、第２コンタクト６４Ｂのバネ部６３０Ｂ及び付加的バネ部６４０Ｂは、被保持部６２０の第２直交方向（Ｙ方向）における両端から、第２直交方向において互いに近づきつつ、第１方位（−Ｚ方向）に沿って夫々延びている。第２コンタクト６４Ｂは、上述の相違点を除き、第１コンタクト６２Ｂと同じ構造を有している。
【手続補正４】
【補正対象書類名】明細書
【補正対象項目名】０１２５
【補正方法】変更
【補正の内容】
【０１２５】
図５５を参照すると、コネクタ本体１２Ｂには、２つのバスバー８６０を接続した後、カバー５０Ｂが取り付けられる。図４４及び図５５から理解されるように、カバー５０Ｂは、第３方位（＋Ｘ方向）に沿ってコネクタ１０Ｂを見た場合に、第１挿入口３３２Ｂ及び第２挿入口３３４Ｂの夫々を、少なくとも部分的に隠している。カバー５０Ｂを取り付けることにより、バスバー８６０の脱落が防止できる。
【手続補正５】
【補正対象書類名】明細書
【補正対象項目名】０１３０
【補正方法】変更
【補正の内容】
【０１３０】
１０，１０Ａ，１０Ｂ                コネクタ
１２，１２Ａ，１２Ｂ                コネクタ本体
２０，２０Ａ，２０Ｂ                ハウジング
３０，３０Ａ，３０Ｂ                第１部材
３１０，３１０Ａ                    被取付部
３１２                              被取付面
３１４                              取付孔
３３０，３３０Ｂ                    バスバー接続部
３３２，３３２Ｂ                    第１挿入口
３３４，３３４Ｂ                    第２挿入口
３３６，３３６Ｂ                    第１保護部
３３８，３３８Ｂ                    第２保護部
３５０，３５０Ａ                    保持部
３５２                              保持穴
３８０                              収容部
３８２                              係合孔
３９２                              挿入部
３９２Ａ                            通過孔
４０，４０Ａ，４０Ｂ                第２部材
４１０，４１０Ｂ                    基部
４２０，４２０Ｂ                    コンタクト保持部
４２２，４２２Ｂ                    第１受容部
４２４，４２４Ｂ                    第２受容部
４２６                              第１保持部
４２８                              第２保持部
４３２，４３２Ｂ                    第１接続空間
４３４，４３４Ｂ                    第２接続空間
４４０，４４０Ｂ                    仕切部
４５０                              付加的保持部
４５２                              付加的保持穴
４８２                              係合突起
５０，５０Ｂ                        カバー
５１０，５１０Ｂ                    バスバー通過口
５２０                              隔壁
５３０                              ケーブル通過口
６０，６０Ａ，６０Ｂ                コンタクト
６２，６２Ａ，６２Ｂ                第１コンタクト
６４，６４Ａ，６４Ｂ                第２コンタクト
６１０，６１０Ｂ                    主部
６２０                              被保持部
６３０，６３０Ｂ                    バネ部
６３２                              接点
６３８                              ガイド部
６４０，６４０Ｂ                    付加的バネ部（バネ部）
６４２                              受部（接点）
６４８                              ガイド部
６５０，６５０Ｂ                    連結部
６６０                              副部
６７０                              接続部
６７２                              取付孔
６８０                              付加的接続部
６８２                              付加的取付孔
７２                                ナット
７４                                付加的ナット
８０                                蓄電装置
８１０，８１０Ａ                    電池ユニット
８２０，８２０Ａ                    ケース
８２２                              取付パネル（対象物）
８３０，８３０Ａ                    電池モジュール
８３２，８３２Ａ                    本体部
８３４，８３６，８３４Ａ，８３６Ａ  端子
８６０                              バスバー
８６２                              第１バスバー
８６４                              第２バスバー
８８０                              ケーブル（接続部材）
８９０                              取付ネジ